(57)【要約】  例示的な実施形態は、ホストデバイスのレセプタクルに通信モジュールを選択的に固定するように構成されているラッチング機構を含む。ラッチング機構は、ラッチ、カム、及びラッチリリースを含む。ラッチは、ラッチフック及びラッチ突出部を含む。カムは、ラッチリリースに機械的に連結されている。カムは、ラッチに対して位置付けされており、ラッチリリースに加えられる活性化力が、ラッチ突出部に接触してラッチフックを変位させるように、カムを並進させるようになっている。
2016504616.tif 000002
【特許請求の範囲】
【請求項１】
ホストデバイスのレセプタクルに通信モジュールを選択的に固定するためのラッチング機構において、
ラッチフック及びラッチ突出部を含んでなるラッチと、
ラッチリリースと、
前記ラッチリリースに機械的に連結されているカムであって、前記カムは、前記ラッチに相対して位置合わせされており、前記ラッチリリースに加えられる活性化力が、前記ラッチ突出部に接触して前記ラッチフックを変位させるように、前記カムを並進させるようになっている、カムとからなる、ホストデバイスのレセプタクルに通信モジュールを選択的に固定するためのラッチング機構。
【請求項２】
前記ラッチが、前記ラッチフックを含む第１の部分と、前記第１の部分と一体になっている第２の部分と、第３の部分を前記第２の部分に接続するラッチネックとからなり、前記第２の部分及び前記第１の部分は、実質的に第１の方向に変位させることができる、請求項１に記載のラッチング機構。
【請求項３】
前記第２の部分及び前記第１の部分を変位させると、前記第２の部分及び前記第１の部分を第２の反対側の方向に促す戻り力が発生する、請求項２に記載のラッチング機構。
【請求項４】
前記第３の部分が、固定特徴部の間の一定の寸法である固定特徴部間寸法をもって分離されている２つの固定特徴部を含んでなり、前記固定特徴部はモジュールのシェルに前記ラッチを固定する、請求項３に記載のラッチング機構。
【請求項５】
前記ラッチリリースは、
前記固定特徴部間寸法に対応する部材ネック幅を有するラッチリリース部材であって、前記ラッチリリースは前記固定特徴部の間に位置付けされる、ラッチリリース部材と、
前記ラッチネックの幅寸法に対応する連結フラップ間寸法をもって分離されている２つの連結フラップであって、前記連結フラップは前記カムに機械的に連結され、前記ラッチネックが、前記連結フラップの間に位置付けされるようにサイズ決めされている、２つの連結フラップと
からなる、請求項４に記載のラッチング機構。
【請求項６】
前記ラッチリリースはラッチリリース部材及びプルタブからなり、前記プルタブが、前記ラッチリリース部材の上にオーバーモールドされており、前記活性化力が、前記プルタブに加えられる、請求項１に記載のラッチング機構。
【請求項７】
前記ラッチング機構は複数の中空部を画定する上部シェルをさらに備え、前記ラッチ、前記カム、及び前記ラッチリリースは前記複数の中空部の中に位置付けされる、請求項１に記載のラッチング機構。
【請求項８】
前記ラッチング機構は前記ラッチと前記ラッチリリースとの間に位置付けされているリターンスプリングをさらに備え、前記リターンスプリングは、前記カムが前記ラッチ突出部に接触していない位置に前記カムを付勢するために付勢力を与える、請求項１に記載のラッチング機構。
【請求項９】
前記ラッチは傾斜した表面を含んでなり、前記傾斜した表面は、前記活性化力が前記ラッチリリースに加えられるときに、前記リターンスプリングに接触し、前記カムは前記ラッチ突出部に接触していない前記位置に前記カムを戻すように作用する戻り力を発生させる、請求項１に記載のラッチング機構。
【請求項１０】
通信モジュールにおいて、
中空部を画定するシェルであって、前記中空部の中に、少なくとも１つのトランスミッター及び少なくとも１つのレシーバが、データ信号を送信及び受信するために位置付けされており、前記シェルは、第１の中空部及び第２の中空部を画定する上部シェルを含む、シェルと、
前記シェルに固定され、前記第１の中空部及び前記第２の中空部の中に少なくとも部分的に位置付けされているラッチング機構であって、前記ラッチング機構は、ホストデバイスのレセプタクルの中に前記通信モジュールを選択的に固定する、ラッチング機構と
からなり、前記ラッチング機構は、
ラッチであって、前記ラッチは、
ラッチフックを含む第１の部分であって、前記ラッチフックは、前記第１の中空部の外側に位置付けされている、第１の部分、
前記第１の中空部の中に位置付けされている第２の部分、
前記第２の中空部の中に固定されている第３の部分、及び、
前記第３の部分を前記第２の部分に接続するラッチネックであって、前記第２の部分及び前記第１の部分は、前記シェルの上部表面に対して実質的に垂直の方向に自由に変位させられる、ラッチネック
を含んでなる、ラッチと、
活性化力がラッチリリースに加えられると、前記ラッチ及び前記上部シェルから独立して並進するように構成されているラッチリリースであって、
ラッチリリース部材ネックであって、前記ラッチネックが、前記ラッチリリース部材ネックと前記上部シェルとの間に位置付けされている、ラッチリリース部材ネック、及び、
前記第２の部分とカムとの間に位置付けされている連結フラップ
を含んでなる、ラッチリリースと
を含んでなり、
前記カムは、前記連結フラップに機械的に連結されており、前記カムは、前記連結フラップと前記上部シェルとの間に位置付けされており、前記ラッチリリースに加えられる前記活性化力が、前記第１の部分に接触して前記第１の部分を変位させるように、前記カムを並進させるようになっている、通信モジュール。
【請求項１１】
前記ラッチは前記ラッチネックから前記上部シェルに向かって延在するラッチ突出部を含んでなり、前記ラッチ突出部は、前記カムに接触し、前記ラッチリリースに加えられる前記活性化力を、前記シェルの前記上部表面に対して実質的に垂直の方向への前記第１の部分の変位に移すように構成されている、請求項１０に記載の通信モジュール。
【請求項１２】
前記ラッチ突出部は傾斜付きの突出部表面及び突出部高さを含み、前記カムが、前記傾斜付きの突出部表面に接触するように構成されている接触表面を含み、前記カム及び前記突出部高さが、おおよそ前記ラッチフックの高さだけ前記第１の部分を変位させるように構成されている、請求項１１に記載の通信モジュール。
【請求項１３】
前記通信モジュールは、前記ラッチリリースと前記ラッチとの間に位置付けされているリターンスプリングをさらに含んでなり、前記リターンスプリングは、前記ラッチリリースに機械的に連結されており、前記カムが前記ラッチ突出部に接触していない初期の位置に前記ラッチリリースを付勢する、請求項１１に記載の通信モジュール。
【請求項１４】
前記活性化力が前記ラッチリリースに加えられると、前記初期の位置に前記ラッチリリースを戻すように構成されている前記リターンスプリングの中に、戻り力が生成される、請求項１３に記載の通信モジュール。
【請求項１５】
前記第１の部分が、前記シェルの前記上部表面に対して実質的に垂直の方向に変位させられると、前記シェルの前記上部表面に向けて第２の方向に前記第１の部分を変位させるように作用する戻り力が発生させられる、請求項１０に記載の通信モジュール。
【請求項１６】
前記シェルが、底部シェルをさらに含み、前記底部シェルは、前記ラッチリリースの中に画定されている制限孔部に対応する制限突出部を含み、前記制限孔部は、前記ラッチリリースが少なくとも所定の距離だけ前記シェルに平行に並進することを可能にするようにサイズ決めされている、請求項１０に記載の通信モジュール。
【請求項１７】
前記制限突出部が、前記ラッチング機構を前記シェルに少なくとも部分的に固定するように形状決めされている、請求項１６に記載の通信モジュール。
【請求項１８】
前記通信モジュールが、ＣＸＰフォームファクターに実質的に準拠している、請求項１０に記載の通信モジュール。
【請求項１９】
ホストデバイスのレセプタクルに通信モジュールを選択的に固定するためのラッチング機構において、
ラッチフック、ラッチ突出部、及び傾斜した表面を含んでなるラッチと、
ラッチリリースに機械的に連結されているカムと、
前記ラッチと前記ラッチリリースとの間に位置付けされ、前記傾斜した表面に接触するように構成されているリターンスプリングと、
複数の中空部を画定している前記通信モジュールの上部シェルであって、前記カム、前記ラッチリリース、前記ラッチ、及び前記リターンスプリングが、前記複数の中空部の中に少なくとも部分的に位置付けされるように構成されている、上部シェルと
からなり、
活性化力が前記ラッチリリースに加えられると、前記ラッチリリース及び前記カムが、前記ラッチ及び前記上部シェルから独立して並進し、前記カムが前記ラッチ突出部に接触し、前記ラッチフックを変位させるようになっており、前記リターンスプリングが、前記傾斜した表面に対抗して圧縮され、戻り力を発生させるように、前記ラッチング機構は構成されている、ホストデバイスのレセプタクルに通信モジュールを選択的に固定するためのラッチング機構。
【請求項２０】
前記ラッチリリースは制限突出部によって前記通信モジュールの底部シェルに固定され、前記制限突出部は前記ラッチリリースを前記通信モジュールに固定し、前記通信モジュールに対する前記ラッチリリースの並進を可能にする、請求項１９に記載のラッチング機構。
【発明の詳細な説明】
【技術分野】
【０００１】
本明細書で開示されている実施形態は、概して、通信モジュールに関する。より詳細には、いくつかの例示的な実施形態は、ホストデバイスのレセプタクルの中に通信モジュールを選択的に固定する際に使用するためのラッチング機構に関する。
【背景技術】
【０００２】
電子的なトランシーバもしくはトランスポンダーモジュール、又は、オプトエレクトロニクストランシーバもしくはトランスポンダーモジュールなどの通信モジュール（モジュール）は、電子通信及びオプトエレクトロニクス通信においてますます使用されている。いくつかのモジュールは、プラグ着脱可能であり、それは、モジュールが、ホストコンピュータ、スイッチングハブ、ネットワークルータ、又はスイッチボックスなどのホストデバイスのレセプタクル内部へ挿入され、ホストデバイスのレセプタクルから取り外されることを可能にする。いくつかのホストデバイスは、複数のレセプタクルを含み、したがって、複数のモジュールを同時に収容することが可能である。それぞれのモジュールは、典型的に、ホストデバイスのプリント回路基板へ、及び／又は、ホストデバイスのプリント回路基板から、電気データ信号を送信及び／又は受信することによって、ホストデバイスのプリント回路基板と通信する。また、これらの電気データ信号は、ホストデバイスの外側のモジュールによって、光データ信号及び／又は電気データ信号として送信することが可能である。
【０００３】
本明細書で特許請求されている主題は、いずれかの不利益を解決する実施形態、又は、上記に説明されているものなどのような環境の中だけで動作する実施形態に限定されない。むしろ、この背景は、単に、本明細書で説明されているいくつかの実施形態が実施され得る１つの例示的な技術領域を図示するために提供されている。
【発明の概要】
【発明が解決しようとする課題】
【０００４】
本明細書で説明されているいくつかの実施形態は、ホストデバイスのレセプタクルの中に通信モジュールを選択的に固定するためのラッチング機構に関する。
【課題を解決するための手段】
【０００５】
１つの例示的な実施形態は、ホストデバイスのレセプタクルに通信モジュールを選択的に固定するように構成されているラッチング機構を含む。ラッチング機構は、ラッチ、カム、及びラッチリリースを含む。ラッチは、ラッチフック及びラッチ突出部を含む。カムは、ラッチリリースに機械的に連結されている。カムは、ラッチに対して位置付けされており、ラッチリリースに加えられる活性化力（ａｃｔｉｖａｔｉｏｎ  ｆｏｒｃｅ）が、ラッチ突出部に接触してラッチフックを変位させるように、カムを並進させるようになっている。
【０００６】
別の例示的な実施形態は、通信モジュールを含む。通信モジュールは、シェル及びラッチング機構を含む。シェルは、中空部を画定し、中空部の中に、少なくとも１つのトランスミッター及び少なくとも１つのレシーバが、データ信号を送信及び受信するために位置付けされている。また、シェルは、第１の中空部及び第２の中空部を画定する上部シェルを含む。ラッチング機構は、シェルに固定され、第１の中空部及び第２の中空部の中に少なくとも部分的に位置付けされており、ホストデバイスのレセプタクルの中にモジュールを選択的に固定するように構成されている。ラッチング機構は、ラッチ、ラッチリリース、及びカムを含む。
【０００７】
ラッチは、ラッチフックを含む第１の部分を含む。ラッチフックは、第１の中空部第１の中空部の外側に位置付けされている。また、ラッチは、第１の中空部の中に位置付けされている第２の部分と、第２の中空部の中に固定されている第３の部分と、第３の部分を第２の部分に接続するラッチネックとを含む。第２の部分及び第１の部分は、シェルに対して実質的に垂直の方向に自由に変位させられる。ラッチリリースは、活性化力がラッチリリースに加えられると、ラッチ及び上部シェルから独立して並進するように構成されている。ラッチリリースは、ラッチリリース部材ネックを含む。ラッチネックは、ラッチリリース部材ネックと上部シェルとの間に位置付けされている。また、ラッチリリースは、第２の部分とカムとの間に位置付けされている連結フラップを含む。カムは、連結フラップに機械的に連結されている。カムは、連結フラップと上部シェルとの間に位置付けされており、ラッチリリースに加えられる活性化力が、第１の部分に接触して第１の部分を変位させるように、カムを並進させるようになっている。
【０００８】
別の例示的な実施形態は、ホストデバイスのレセプタクルに通信モジュールを選択的に固定するように構成されているラッチング機構を含む。ラッチング機構は、ラッチ、カム、ラッチリリース、リターンスプリング、及び上部シェルを含む。ラッチは、ラッチフック、ラッチ突出部、及び傾斜した表面を含む。カムは、ラッチリリースに機械的に連結されている。リターンスプリングは、ラッチとラッチリリースとの間に位置付けされ、傾斜した表面に接触するように構成されている。通信モジュールの上部シェルは、複数の中空部を画定しており、カム、ラッチリリース、ラッチ、及びリターンスプリングが、複数の中空部の中に少なくとも部分的に位置付けされるように構成されている。活性化力がラッチリリースに加えられると、ラッチリリース及びカムが、ラッチ及び上部シェルから独立して並進し、カムがラッチ突出部に接触し、ラッチフックを変位させるようになっており、リターンスプリングが、傾斜した表面に対抗して圧縮され、戻り力を発生させるように、ラッチング機構は構成されている。
【０００９】
この概要は、詳細な説明においてさらに下記に説明されている簡単化された形態の概念の選択を導入するために提供されている。この概要は、特許請求されている主題の重要な特徴又は本質的な特性を特定することを意図しておらず、また、この概要は、特許請求されている主題の範囲を決定することを支援するものとして使用されることも意図していない。
【００１０】
本発明の追加的な特徴及び利点は、以下に続く説明の中に述べられることとなり、この説明から部分的に明らかになることとなり、又は、本発明の実施によって学ぶことが可能である。本発明の特徴及び利点は、とりわけ添付の特許請求の範囲の中に指摘されている手段及び組合せによって、実現及び獲得することが可能である。本発明のこれらの特徴及び他の特徴は、以下の説明及び添付の特許請求の範囲から、より十分に明らかになることとなり、又は、以降に述べられているような本発明の実施によって学ぶことが可能である。
【００１１】
本発明の上記の利点及び特徴、ならびに、他の利点及び特徴をさらに明確化するために、より詳細な説明が、本発明の特定の実施形態を参照することによってなされることとなり、本発明の特定の実施形態は、添付の図面に図示されている。これらの図面は、単に本発明の典型的な実施形態を示しており、したがって、本発明の範囲を限定するものとして考慮されるべきではないということが理解される。本発明は、添付の図面の使用を通して、追加的な特異性及び詳細とともに、記載及び説明されることとなる。
【図面の簡単な説明】
【００１２】
【図１Ａ】例示的な通信モジュールを図示する図。
【図１Ｂ】例示的な通信モジュールを図示する図。
【図２Ａ】図１Ａ及び図１Ｂの通信モジュールの中に実装され得る例示的なラッチング機構を図示する図。
【図２Ｂ】図１Ａ及び図１Ｂの通信モジュールの中に実装され得る例示的なラッチング機構を図示する図。
【図２Ｃ】図１Ａ及び図１Ｂの通信モジュールの中に実装され得る例示的なラッチング機構を図示する図。
【図３Ａ】図２Ａ〜図２Ｃのラッチング機構の中に実装され得る例示的なラッチを図示する図。
【図３Ｂ】図２Ａ〜図２Ｃのラッチング機構の中に実装され得る例示的なラッチを図示する図。
【図４Ａ】図２Ａ〜図２Ｃのラッチング機構の中に実装され得る例示的なラッチリリースを図示する図。
【図４Ｂ】図２Ａ〜図２Ｃのラッチング機構の中に実装され得る例示的なラッチリリースを図示する図。
【図５】図２Ａ〜図２Ｃのラッチング機構の中に実装され得る例示的なリターンスプリングを図示する図。
【図６】図２Ａ〜図２Ｃのラッチング機構の中に実装され得る例示的なカムを図示する図。
【図７】図２Ａ〜図２Ｃのラッチング機構の中に実装され得る例示的な上部シェルを図示する図。
【図８Ａ】図５のリターンスプリングの例示的な動作を図示する図。
【図８Ｂ】図５のリターンスプリングの例示的な動作を図示する図。
【図９Ａ】図２Ａ〜図２Ｃのラッチング機構の例示的な動作を図示する図。
【図９Ｂ】図２Ａ〜図２Ｃのラッチング機構の例示的な動作を図示する図。
【発明を実施するための形態】
【００１３】
例示的な実施形態は、ホストデバイスのレセプタクルの中に通信モジュール（モジュール）を選択的に固定する際に使用するためのラッチング機構に関する。１つの例示的な実施形態は、ラッチング機構を含む。ラッチング機構は、モジュールのシェルに少なくとも部分的に固定される。ラッチング機構は、ラッチ、ラッチリリース部材、及びカムを含む。ラッチは、ホストデバイスの構造体に係合するように構成されているラッチフックを含む。ラッチは、ラッチ突出部を含み、ラッチ突出部は、活性化力の付加に応答してラッチリリース部材が並進させられるときに、カムに接触するように構成されている。カムは、ラッチ突出部に接触し、活性化力をラッチに伝達させ、ラッチを曲げ、ラッチの第１の部分を回転させ、ラッチフックが、ホストデバイスの構造体から離脱するようになっている。いくつかの実施形態では、ラッチング機構は、レセプタクルの中へモジュールを単に押し込むことによって、モジュールがホストデバイスのレセプタクルの中へ固定されることを可能にする。これらの実施形態及び他の実施形態では、ラッチが付勢され、ラッチフックがレセプタクルの上の対応するレシーバに係合するようになっている。追加的に、これらの実施形態及び他の実施形態では、ラッチリリースをプルタブに機械的に連結させることが可能である。ユーザは、プルタブを単に引くことが可能であり、それは、レセプタクルからモジュールを離脱させるのに必要な並進を引き起こす。いくつかの追加的な実施形態は、添付の図を参照して本明細書で説明されている。
【００１４】
Ｉ．  例示的な通信モジュール
図１Ａ及び図１Ｂは、例示的な通信モジュール（モジュール）１００を図示している。一般的に、モジュール１００は、ホストデバイス（図示せず）に接続して、光信号を送信及び受信する際に使用することが可能である。ホストデバイスは、通信ネットワーク（図示せず）の中に動作可能に接続することが可能である。図１Ａは、モジュール１００の斜
視図を示しており、図１Ｂは、モジュール１００の部分分解斜視図を示している。
【００１５】
図１Ａ及び図１Ｂに示されているモジュール１００は、インフィニバンド・トレード・アソシエーション（Ｉｎｆｉｎｉｂａｎｄ  Ｔｒａｄｅ  Ａｓｓｏｃｉａｔｉｏｎ）によって規定されているようなＣＸＰフォームファクターに適合している。しかし、この描写は、限定することを意味していない。モジュール１００は、一般的に、電気的なモジュール又はオプトエレクトロニクスモジュールを表すことが可能であり、それらは、光学的な部品及び電気的な部品の両方を含む。いくつかの例示的なオプトエレクトロニクスモジュールは、アクティブ電気ケーブル、アクティブ光ケーブル、トランスポンダー、トランシーバ、トランスミッター、及び／又はレシーバを含むことが可能であるが、それらに限定されない。
【００１６】
モジュール１００がオプトエレクトロニクスモジュールを含む実施形態では、モジュール１００は、通信ネットワークの中に実装することが可能である。通信ネットワークは、ローカルエリアネットワーク、都市部ネットワーク、ストレージエリアネットワーク、広域ネットワークなどを含むことが可能であるが、それらに限定されない。モジュール１００は、制限なく、ＣＸＰ、ＣＦＰ、ＸＦＰ、及びＳＦＰ＋フォームファクターを含む、１つ又は複数の標準化されたフォームファクター又はマルチソースアグリーメント（「ＭＳＡ」）に適合するように構成させることが可能である。代替的に、いくつかの実施形態では、モジュール１００は、標準化されたフォームファクター要件に準拠しなくてもよく、特定の設計にしたがって、任意のサイズ及び／又は構成を有することが可能である。
【００１７】
モジュール１００は、様々なデータ速度（毎秒）での電気信号及び／又は光信号の送信及び受信のために構成させることが可能である。本明細書で説明されているモジュール１００のいくつかの例示的な一般の信号速度は、１０ギガビット毎秒（「Ｇ」）、４０Ｇ、１００Ｇ、又はそれ以上を含むが、それらに限定されない。
【００１８】
そのうえ、モジュール１００は、複数の波長における光信号送信及び受信のために構成させることが可能である。いくつかの例示的な信号送信波長及び信号受信波長は、８５０ナノメートル（ｎｍ）、１３１０ｎｍ、１４７０ｎｍ、１４９０ｎｍ、１５１０ｎｍ、１５３０ｎｍ、１５５０ｎｍ、１５７０ｎｍ、１５９０ｎｍ、又は１６１０ｎｍを含むが、それらに限定されない。追加的に、モジュール１００は、複数の送信標準を支持するように構成させることが可能である。いくつかの例示的な送信標準は、１０ギガビットイーサネット（登録商標）、１００ギガビットイーサネット（登録商標）、１ｘ、２ｘ、４ｘ、１０ｘ、及び１６ｘファイバ・チャネル、ならびに、１ｘ、４ｘ、及び１２ｘＳＤＲ、ＤＤＲ、及びＱＤＲインフィニバンドを含むが、それらに限定されない。
【００１９】
図１Ａ，図１Ｂに示されているようなモジュール１００のより詳細な説明が、以下に続く。図１Ａ，図１Ｂに図示されているように、モジュール１００は、上部シェル７００及び底部シェル１０６から構成されるシェル１０２を含む。シェル１０２は、２つの部品（すなわち、上部シェル７００及び底部シェル１０６）から構成されるように図示されているが、シェル１０２は、代替的に、単一の部品又は３つ以上の部品から構成させることが可能である。
【００２０】
底部シェル１０６は、傾斜表面１３２を含む１つ又は複数の制限突出部１０４を含む。図１Ａ，図１Ｂでは、１つの傾斜表面１３２を備える１つの制限突出部１０４だけを見ることが可能である。しかし、この実施形態及び他の実施形態では、別の傾斜表面１３２を備える別の制限突出部１０４を、ラベル付きの制限突出部１０４と実質的に同様に、モジュール１００の他方の側に含むことが可能である。
【００２１】
制限突出部１０４は、底部シェル１０６から延在しており、ラッチリリース４００をモジュール１００に少なくとも部分的に固定することが可能である。追加的に、制限突出部１０４は、シェル１０２に対するラッチリリース４００の相対的な並進を制限することが可能である。制限突出部１０４のいくつかの追加的な詳細が、以下に提供されている。
【００２２】
図１Ｂに最も良好に見られるように、シェル１０２は、中空部を画定しており、中空部は、全体的に１０８で示されており、中空部の中には、少なくとも１つの光トランスミッター及び少なくとも１つの光レシーバを含むオプトエレクトロニクス部品１２８が位置付けされている。この実施形態及びいくつかの他の実施形態では、光トランスミッターは、１２ｘ１アレイの垂直共振器型面発光レーザ（「ＶＣＳＥＬ」）を含み、光レシーバは、１２ｘ１アレイのｐ−タイプ、イントリンシック（ｉｎｔｒｉｎｓｉｃ）、ｎ−タイプ（「ＰＩＮ」）フォトダイオードを含む。代替的に、オプトエレクトロニクス部品１２８は、同じもしくは異なる量もしくは構成の、端面発光レーザなどのような他のタイプの光トランスミッター、及び／又は、同じもしくは異なる量もしくは構成の他のタイプの光レシーバを含むことが可能である。他の実施形態では、モジュール１００は、光トランスミッター及び光レシーバというよりも、電気トランスミッター及びレシーバを実装することが可能である。
【００２３】
プリント回路基板アセンブリ（「ＰＣＢＡ」）１１４が、中空部１０８の中に少なくとも部分的に位置付けされている。ＰＣＢＡ１１４は、たとえば、エッジコネクタ、レーザドライバー、及びポストアンプリファイアーを含むことが可能である。エッジコネクタは、ホストデバイスにインターフェース接続し、ホストデバイスとモジュール１００との間で電気データ信号を通信させる。ホストデバイスから受信される電気データ信号は、レーザドライバーに提供され、レーザドライバーは、光トランスミッターを駆動し、受信された電気データ信号を表す光データ信号を放出する。代替的に又は追加的に、光データ信号は、光レシーバによって受信することが可能であり、光レシーバは、受信される光データ信号を電気データ信号へ変換し、エッジコネクタのうちの１つ又は両方を介してホストデバイスに通信させられる前に、増幅のために電気データ信号をポストアンプリファイアーに提供する。
【００２４】
ケーブル被覆材１２４Ａ（図１Ａ，図１Ｂ）の中に位置付けされている複数の光ファイバ（図示せず）、ならびに、光ファイバコネクタ１２４Ｂを含むケーブルアセンブリ１２４が提供されている。光ファイバコネクタ１２４Ｂは、一般的に、ブーツ１３０によって取り囲むことが可能である。他の例では、ケーブルアセンブリ１２４は、光ファイバ及び光ファイバコネクタ１２４Ｂというよりも、複数の電気的なワイヤー及び電気的なコネクタを含む。代替的に、ケーブルアセンブリ１２４は、いくつかの構成では、完全に省略することが可能である。
【００２５】
ケーブルアセンブリ１２４の光ファイバは、たとえば、１２個の送信マルチモードパラレルリボンファイバ、及び、１２個の受信マルチモードパラレルリボンファイバ、又は、合計２４個のマルチモードパラレルリボンファイバを含むことが可能である。他の例では、光ファイバは、パラレルリボンの中に、又は、個別のファイバとして実装される、任意の数の送信ファイバ及び任意の数の受信ファイバを有するマルチモードファイバ又はシングルモードファイバである。
【００２６】
光ファイバコネクタ１２４Ｂは、位置決めガイド１２６の中に受け入れられており、位置決めガイド１２６は、ケーブルアセンブリ１２４の光ファイバをモジュール１００の中に部分的に位置決めすることが可能である。光ファイバコネクタ１２４Ｂは、ケーブルアセンブリ１２４の光ファイバを、オプトエレクトロニクス部品１２８の光トランスミッター及び光レシーバに、少なくとも部分的に整合させることが可能である。ケーブルアセン
ブリ１２４の光ファイバをオプトエレクトロニクス部品１２８に整合させることによって、光信号を、ケーブルアセンブリ１２４の光ファイバの上へ放出することが可能であり、及び／又は、ケーブルアセンブリ１２４の光ファイバから受信することが可能である。
【００２７】
モジュール１００は、ラッチング機構２００をさらに含む（図１Ｂに最も良好に図示されている）。ラッチング機構２００は、ラッチ３００、ラッチリリース４００、リターンスプリング５００、カム６００、及び上部シェル７００（上部シェル７００は、シェル１０２及びラッチング機構２００の一部分であるということに留意されたい）を含むことが可能である。簡単に言えば、ラッチング機構２００は、シェル１０２に少なくとも部分的に固定することが可能であり、ホストデバイスのレセプタクルの中にモジュール１００を選択的に固定するように構成させることが可能である。ラッチング機構２００に関するいくつかの追加的な詳細が、以下に提供されている。
【００２８】
ＩＩ．  例示的なラッチング機構
図２Ａ〜図２Ｃは、いくつかの実施形態による図１Ａ及び図１Ｂのモジュール１００の中に実装され得るラッチング機構２００のいくつかの追加的な詳細を図示している。具体的には、図２Ａは、ラッチング機構２００の斜視図である。図２Ｂは、ラッチング機構２００の分解斜視図である。図２Ｃは、ラッチング機構２００の一部分の側面図である。ラッチング機構２００の部品の概観が、部品のそれぞれ（すなわち、３００，４００，５００，６００，７００）を図３Ａ〜図７に関してより詳細に以下に説明する前に、図２Ａ〜図２Ｃに関して提供されることとなる。
【００２９】
簡単に言えば、ラッチ３００は、ホストデバイスのレセプタクルの構造体に係合するように構成されている第１の部分３０２を含む。ラッチ３００は、第１の部分３０２の上にラッチフック３０４を含み、ラッチフック３０４は、ホストデバイスのレセプタクルの中に形成された対応する切り欠き部、陥凹部、中空部、又は他の適切な構造体に係合するように構成されている。ラッチ３００、又は、ラッチフック３０４を含む少なくともラッチ３００の第１の部分３０２は、上部シェル７００に対して実質的に垂直の方向に変位させられ、ホストデバイスのレセプタクルに係合するか、又は、ホストデバイスのレセプタクルから離脱するように構成させることが可能である。図２Ａ，図２Ｂでは、上部シェル７００に対して垂直の方向は、ｙのプラス方向又はｙのマイナス方向に対応している。ラッチ３００は、ラッチ突出部３０６（図２Ｃのみ）とカム６００との間の接触に起因して、変位させられ得る。
【００３０】
実際に、ラッチ３００は、第１の部分３０２の反対側のラッチ３００の端部の中にあるか、又は、第１の部分３０２の反対側のラッチ３００の端部の相対的に近くにある軸線の周りで、ラッチング機構２００の動作の間に、少なくとも第１の部分３０２の回転変位を受けることが可能である。ホストデバイスのレセプタクルから離脱すること、又は、ホストデバイスのレセプタクルに係合することに伴う相対的に小さい回転に関して、ｙの（プラス又はマイナス）方向の第１の部分３０２の変位成分は、ｘの（プラス又はマイナス）方向の第１の部分３０２の変位成分を支配することが可能であり、第１の部分３０２の変位が、実質的にｙ方向であるか、又は、上部シェル７００に対して実質的に垂直であると言うことができるようになっている。
【００３１】
いくつかの実施形態では、カム６００は、ラッチリリース４００に機械的に連結されているが、ラッチ３００には連結されていない。具体的には、ラッチリリース４００は、一般的に、ラッチリリース部材４０２及びプルタブ４０４を含む。ラッチリリース４００のラッチリリース部材４０２は、カム６００に機械的に連結されるように構成されている。プルタブ４０４は、ユーザが活性化力をプルタブ４０４に加えることができるように構成されており、それは、上部シェル７００に対してｘのマイナス方向のラッチリリース４０
０の並進を結果として生じさせる。したがって、ラッチリリース４００は、活性化力がプルタブ４０４に加えられるときに、少なくともラッチフック３０４がホストデバイスから離脱するまで、上部シェル７００及びラッチ３００から独立して並進するように構成されている。
【００３２】
ラッチリリース４００が並進しているときに、カム６００も並進してラッチ突出部３０６に接触するように、カム６００をラッチ３００に対して位置付けさせることが可能である。より詳細に以下に説明されているように、カム６００は、ラッチ突出部３０６に接触する傾斜付きの接触表面を有している。ｘのマイナス方向へのカム６００にかかる活性化力は、カム６００の傾斜付きの接触表面によって、ラッチ突出部３０６に対するｙのプラス方向への変位力に転換される。活性化力が十分に大きいときには、変位力は、少なくともラッチ３００の第１の部分３０２をｙのプラス方向に変位させる。第１の部分３０２をｙのプラス方向に変位させることによって、ラッチフック３０４は、ホストデバイスのレセプタクルからラッチ３００を離脱させることが可能である。他方では、十分に大きい作動力がなければ、ラッチ３００は、ホストデバイスのレセプタクルに係合することが可能である。
【００３３】
リターンスプリング５００（図２Ｂ，図２Ｃのみ）は、ラッチリリース４００とラッチ３００との間に位置付けされている。リターンスプリング５００は、ラッチリリース４００に機械的に連結されている。ラッチリリース４００に活性化力を加えなければ、カム６００がラッチ突出部３０６に接触しないように、リターンスプリング５００は付勢されている。追加的に、ラッチリリース４００に活性化力を加えることに続いて、リターンスプリング５００は、少なくとも部分的に、カム６００がラッチ突出部３０６に接触しない位置にカム６００を戻すことが可能である。
【００３４】
上部シェル７００（図２Ｃでは、点線で示されているように透明で示されている）は、一般的に、ベース部を提供し、ベース部の中には、ラッチリリース４００、ラッチ３００、リターンスプリング５００、及びカム６００のうちの少なくとも一部分が位置付けされている。追加的に、上部シェル７００は、図１のモジュール１００などのようなモジュールに、ラッチング機構２００を少なくとも部分的に固定している。
【００３５】
図２Ｃを特に参照すると、ラッチング機構２００が、活性化力がプルタブ４０４に加えられていない状態で、組み立てられて示されている。図２Ｃは、１つ又は複数の部品（たとえば、４０２，４０４，５００，３０６，６００，３０４，３００，３０２）の相対的な位置を図示している。具体的には、ラッチング機構２００は、ラッチリリース部材４０２を含み、ラッチリリース部材４０２は、ラッチリリース部材４０２がカム６００に連結されている、２０２で示されている領域において、ラッチ３００とカム６００との間に位置付けされている。追加的に、ラッチ３００は、ラッチリリース部材４０２がカム６００に連結されている領域２０２以外の領域において、ラッチリリース部材４０２と上部シェル７００との間に位置付けされている。カム６００は、ラッチリリース部材４０２と上部シェル７００との間に位置付けされている。追加的に、リターンスプリング５００の位置は、ラッチ３００とラッチリリース部材４０２との間に示されている。
【００３６】
Ａ．  例示的なラッチ
図３Ａ，図３Ｂは、図２Ａ〜図２Ｃのラッチング機構２００の中に実装され得るラッチ３００の追加的な詳細を図示している。ラッチ３００は、シートメタル、プラスチック、他の適切な材料、又は、それらの任意の組合せから構成させることが可能である。いくつかの実施形態では、ラッチ３００は、動作の間に、任意に定義されるｙ方向に曲がるように構成されている。そのように、これらの実施形態及び他の実施形態では、ラッチ３００は、少なくとも部分的に弾力的であり、動作の間の弾性曲げを可能にする。
【００３７】
示されているように、ラッチ３００は、第１の部分３０２（上記で導入された）、第２の部分３４０、及び第３の部分３０８を含む。第２の部分３４０及び第３の部分３０８は、ラッチネック３１２によって接続されている。ラッチネック３１２の幅寸法３３８（図３Ａのみ）は、一般的に、第１の部分３０２、第２の部分３４０、及び第３の部分３０８よりも、任意に定義されるｚ方向に幅が狭い。この実施形態及び他の実施形態では、第１の部分３０２、第２の部分３４０、第３の部分３０８、及びラッチネック３１２は、単一の材料から構成されている。しかし、これは、限定することを意味していない。第１の部分３０２、第２の部分３４０、第３の部分３０８、又はラッチネック３１２のうちの１つ又は複数は、第２の材料から構成され、その他の第１の部分３０２、第２の部分３４０、第３の部分３０８、又はラッチネック３１２に付着させるか、又は、そうでなければ結合させることが可能である。第１の部分３０２は、１つ又は複数のラッチフック３０４Ａ，３０４Ｂ（一般的に、１つ又は複数のラッチフック３０４）を含む。ラッチフック３０４は、ホストデバイス（図示せず）のレセプタクルの切り欠き部、中空部、凹部、又は陥凹部などのような、対応する構造体に係合するように構成されている。それによって、ラッチフック３０４は、図１Ａ，図１Ｂのモジュール１００などのようなモジュールを、ホストデバイスのレセプタクルの中に選択的に固定する。
【００３８】
図３Ａ，図３Ｂに示されているように、ラッチフック３０４のそれぞれは、傾斜付きの前縁部３１０Ａ，３１０Ｂ（一般的に、１つ又は複数の前縁部３１０）を含む。図３Ｂでは、いくつかの特徴部及び部品のうちの１つだけを見ることができるということに留意されたい。ホストデバイスのレセプタクルの中へのモジュール１００の挿入の間に、前縁部３１０は、レセプタクルの前縁部に接触することが可能であり、ラッチ３００を曲げさせ、及び／又は、持ち上がらせることが可能であり、ラッチ３００の第１の部分３０２が、ｙのプラス方向に変位させられ、レセプタクルの前縁部を乗り越えるようになっている。第３の部分３０８は、実質的に静止したままであることが可能であり、ラッチネック３１２が、第１の部分３０２及び第２の部分３４０の変位（たとえば、回転移動）を収容するように曲がるようになっている。第２の部分３４０及び第１の部分３０２は、一般的に、実質的に静止している第３の端部３０８の周りの回転によって、ｙのプラス方向に変位させられ得る。
【００３９】
いくつかの実施形態では、ラッチフック３０４は、平坦な後縁部３１４Ａ，３１４Ｂ（一般的に、１つ又は複数の後縁部３１４）をそれぞれ含むことが可能である。レセプタクルの前縁部による第２の部分３４０及び第１の部分３０２の変位に続いて、ラッチフック３０４は、前縁部を有するレセプタクルの切り欠き部、中空部、凹部、陥凹部、又は他の対応する特徴部に到達する前に、レセプタクルに沿ってスライドすることが可能である。ラッチフック３０４の後縁部３１４が、レセプタクルの切り欠き部、中空部、凹部、陥凹部、又は他の対応する特徴部の前縁部を乗り越えると、第２の部分３４０及び第１の部分３０２は、ｙのマイナス方向に急に跳ね返ることが可能である。それによって、後縁部３１４、及び、より全体的にはラッチフック３０４は、レセプタクルに係合し、ラッチ３００が上部シェル７００に対してｘのマイナス方向に並進することを防止することが可能である。
【００４０】
２つのラッチフック３０４が、図３Ａに図示されているが、ラッチ３００の第１の部分３０２は、代替的に、２つより多い、又は、２つより少ないラッチフック３０４を含むことが可能である。代替的に又は追加的に、ラッチフック３０４の場所、及び、ラッチフック３０４によって係合されるように構成されている構造体の場所は、ラッチ３００とホストデバイスのレセプタクルとの間で変化させることが可能である。たとえば、第１の部分３０２は、１つ又は複数の切り欠き部、中空部、凹部、陥凹部、又は、ホストデバイスのレセプタクルの上の対応するフックもしくは突出部に係合するように構成されている他の
同様の構造体を含むことが可能である。したがって、図３Ａ，図３Ｂは、単に、ラッチ３００の１つの例を図示しており、ラッチ３００は、ホストデバイスのレセプタクルの構造体に係合するように構成されており、本明細書で開示されている実施形態を限定するように解釈されるべきではない。
【００４１】
ラッチ３００のラッチネック３１２は、ラッチ突出部３０６を含む。ラッチ突出部３０６は、ラッチネック３１２からｙのマイナス方向に延在している。ラッチ突出部３０６は、突出部高さ３１６（図３Ｂのみ）、及び、傾斜付きの突出部表面３１８を含む。突出部高さ３１６は、図３Ｂにおいて、ラッチネック３１２の底部表面と同一平面上にある参照平面から、参照平面から最も遠いラッチ突出部３０６の上の点までの最短距離として定義される寸法である。
【００４２】
ラッチ突出部３０６は、ラッチネック３１２に取り付けられているか、又は、ラッチネック３１２と一体的に形成させることが可能であり、活性化力が、ラッチ突出部３０６に伝達され得、それが、ラッチネック３１２に、及び、したがって、ラッチ３００に伝達されるようになっている。追加的に、傾斜付きの突出部表面３１８は、ラッチ３００の第１の部分３０２に向けて配向させることが可能である。したがって、傾斜付きの突出部表面３１８は、ｘのマイナス方向にラッチ突出部３０６に伝達される活性化力が、ｙのプラス方向への第２の部分３４０及び／又は第１の部分３０２の運動を結果として生じさせることを可能にすることができる。
【００４３】
第３の部分３０８は、２つの固定特徴部３２０Ａ，３２０Ｂ（一般的に、固定特徴部３２０）、ならびに、傾斜した平面３２２を含むことが可能である。固定特徴部３２０のそれぞれは、一般的に、水平方向の部分３２４Ａ，３２４Ｂ、ならびに、垂直方向の部分３２６Ａ，３２６Ｂを含む。水平方向の部分３２４Ａ，３２４Ｂを水平方向として指定すること、及び、垂直方向の部分３２６Ａ，３２６Ｂを垂直方向として指定することは、任意であるということに留意されたい。図３Ａ，図３Ｂでは、一般的に、水平方向の部分３２４Ａ，３２４Ｂは、ｘｚ平面に平行に配向されており、垂直方向の部分３２６Ａ，３２６Ｂは、ｙｘ平面に平行に配向されている。水平方向の部分３２４Ａ，３２４Ｂ、ならびに、垂直方向の部分３２６Ａ，３２６Ｂは、本明細書で説明されている上部シェル７００などのような上部シェルにラッチ３００を固定することが可能である。
【００４４】
固定特徴部３２０は、固定特徴部間寸法（ｉｎｔｒａ−ｓｅｃｕｒｉｎｇ  ｆｅａｔｕｒｅ  ｄｉｍｅｎｓｉｏｎ）３２８（図３Ａのみ）によって分離されている。固定特徴部間寸法３２８は、固定特徴部３２０の間のｚ方向の距離を表している。
【００４５】
傾斜した平面３２２は、固定特徴部３２０及びラッチネック３１２に連結されている。傾斜した平面３２２は、傾斜した表面３３２（図３Ｂのみ）を含み、傾斜した表面３３２は、本明細書で議論されているリターンスプリング５００などのようなリターンスプリングに接触することが可能である。追加的に、傾斜した平面３２２は、第２の部分３４０及び／又は第１の部分３０２が変位させられるときに、ラッチ３００を通して少なくとも部分的に力を伝達させることが可能である。
【００４６】
たとえば、図２Ｂ，図３Ｂを組み合わせて参照すると、ラッチ３００の第３の部分３０８は、上部シェル７００の第２の中空部７０４の中に位置付けさせることが可能である。固定特徴部３２０は、ラッチ３００の第３の部分３０８を上部シェル７００に固定することが可能である。図示されている実施形態では、第２の部分３４０、第１の部分３０２、及びラッチネック３１２は、上部シェル７００に固定されていない。
【００４７】
第２の部分３４０及び第１の部分３０２が、図３Ｂにおいて矢印３３４によって示され
ているように、ｙのプラス方向に変位させられると、第３の部分３０８は上部シェル７００に固定されているので、第３の部分３０８は変位させられない。第２の部分３４０及び第１の部分３０２は、ラッチネック３１２の撓みを通して、ｙのプラス方向に回転し、及び／又は、ｙのプラス方向に変位させられ、それによって、戻り力を発生させる。戻り力は、図３Ｂにおいて、矢印３５０で示されている。事情が許すときには（たとえば、活性化力がないとき、及び、ラッチフック３０４がホストデバイスの中に適正に着座させられるとき、又は、モジュールがホストデバイスのレセプタクルの中へ全く挿入されていないとき）、戻り力３５０は、第２の部分３４０及び第１の部分３０２が、図３Ｂに図示されている配向へ、概してｙのマイナス方向に戻ることを促す。
【００４８】
たとえば、図３Ｂ，図２Ａを組み合わせて参照して、第１の部分３０２及び第２の部分３４０が、上部シェル７００に対して垂直の方向（それは、矢印３３４によって表すことが可能である）に変位させられると仮定する。第３の部分３０８が上部シェル７００に固定されていることに起因して、矢印３５０によって表されている戻り力が、ラッチ３００に与えられる。第１の部分３０２及び第２の部分３４０がｙのプラス方向に変位させられたとき、矢印３５０によって表されている戻り力が、第１の部分３０２及び第２の部分が上部シェル７００に向かうことを促す。
【００４９】
Ｂ．  例示的なラッチリリース
図４Ａ，図４Ｂは、図２Ａ〜図２Ｃのラッチング機構２００に実装され得るラッチリリース４００のいくつかの追加的な詳細を図示している。ラッチリリース４００は、プルタブ４０４及びラッチリリース部材４０２を含む。プルタブ４０４及びラッチリリース部材４０２は、機械的に連結されており、プルタブ４０４に加えられる活性化力が、ラッチリリース部材４０２に伝達され得るようになっている。たとえば、プルタブ４０４は、ラッチリリース部材４０２の上にオーバーモールドすることが可能である。したがって、プルタブ４０４に加えられる活性化力を、ラッチリリース部材４０２に伝達することが可能である。
【００５０】
プルタブ４０４は、ゴム、プラスチック、シートメタル、他の適切な材料、又は、それらの任意の組合せから構成させることが可能である。プルタブ４０４は、連結端部４０８を含み、連結端部４０８において、プルタブ４０４は、ラッチリリース部材４０２に機械的に連結されている。連結端部４０８の反対側では、プルタブ４０４が、ハンドル４０６を含む。ハンドル４０６は、ユーザによって操作されるように構成させることが可能である。たとえば、ユーザは、ハンドル４０６を使用してプルタブ４０４に活性化力を加えることが可能であり、それは、ラッチリリース部材４０２に伝達される。
【００５１】
この実施形態及び他の実施形態では、ハンドル４０６は、タブアーム４１０Ａ，４１０Ｂによって、連結端部４０８に接続させることが可能である。タブアーム４１０Ａ，４１０Ｂは、ラッチリリース部材４０２からハンドル４０６を分離し、たとえば、熱伝達を低減させ、及び／又は、人間工学的な利点を提供することが可能である。
【００５２】
いくつかの例では、タブアーム４１０Ａ，４１０Ｂを省略することが可能であり、ハンドル４０６が、連結端部４０８に直接的に接続され得るようになっている。代替的に、１つ、３つ、又はそれ以上のタブアーム４１０Ａ，４１０Ｂを、プルタブ４０４の中に含むことが可能である。さらに代替的に、いくつかの実施形態では、プルタブ４０４全体を省略することが可能であり、ユーザは、ラッチリリース部材４０２に直接的に活性化力を加えることが可能である。
【００５３】
ラッチリリース部材４０２は、シートメタル、プラスチック、他の適切な材料、又は、それらの任意の組合せから構成させることが可能である。ラッチリリース部材４０２は、
ラッチリリース部材ネック４１６（部材ネック４１６）によって接続されている第１の端部４１２及び第２の端部４１４を含む。この実施形態及び他の実施形態では、第１の端部４１２、第２の端部４１４、及び部材ネック４１６は、単一の材料から構成され得る。しかし、これは、限定することを意味していない。第１の端部４１２、第２の端部４１４、又は部材ネック４１６のうちの１つ又は複数は、第２の材料から構成され、その他の第１の端部４１２、第２の端部４１４、又は部材ネック４１６に付着されるか、又は、そうでなければ結合させることが可能である。
【００５４】
第２の端部４１４において、ラッチリリース部材４０２は、１つ又は複数の連結構造体４１８（図４Ａのみ）を含み、１つ又は複数の連結構造体４１８は、ラッチリリース部材４０２をプルタブ４０４に機械的に連結させるように構成されている。いくつかの実施形態では、たとえば、プルタブ４０４の一部分を、連結構造体４１８の上にオーバーモールドすることが可能である。いくつかの他の実施形態では、プルタブ４０４は、他の技法を使用して、連結構造体４１８に機械的に連結することが可能であり、他の技法は、プルタブ４０４をラッチリリース部材４０２に固定する接着剤、又は、連結構造体４１８と噛み合う、プルタブ４０４の中に含まれる１つ又は複数の特徴部を含むが、それらに限定されない。
【００５５】
追加的に、第２の端部４１４において、ラッチリリース部材４０２は、固定フラップ４２２Ａ，４２２Ｂ（一般的に、１つ又は複数の固定フラップ４２２）の中に画定されている制限孔部４２０Ａ，４２０Ｂ（一般的に、１つ又は複数の制限孔部４２０；図４Ｂでは、４２０Ａだけが示されていることに留意されたい）を含む。図１Ａ，図４Ｂを組み合わせて参照すると、制限孔部４２０は、底部シェル１０６の上の制限突出部１０４に対応することが可能である。ラッチリリース４００が、モジュール１００の他の部品に対して、少なくとも所定の距離だけｘ方向に並進することを可能にするように、制限孔部４２０をサイズ決めすることが可能である。追加的に、ラッチリリース４００が制限突出部１０４によって少なくとも部分的にｙ方向に固定され得るように、制限突出部１０４を形状決めすることが可能である。
【００５６】
たとえば、制限突出部１０４は、傾斜表面１３２を含むことが可能であり、傾斜表面１３２は、実質的にｙのマイナス方向にラッチリリース４００を移動させることによって、ラッチリリース４００が底部シェル１０６の上へ押し付けられることを可能にするように構成されている。制限突出部１０４は、固定フラップ４２２が傾斜表面１３２の上を進むときに、固定フラップ４２２に接触し、及び／又は、固定フラップ４２２を一時的に変形させることが可能である。制限突出部１０４は、制限孔部４２０に進入し、固定フラップ４２２は、ラッチリリース４００が底部シェル１０６から切り離されることを防止する。
【００５７】
図４Ａ，図４Ｂに戻って参照すると、第１の端部４１２において、ラッチリリース部材４０２は、カム連結部分４２４を含む。カム連結部分４２４は、連結孔部４２８Ａ，４２８Ｂ（一般的に、連結孔部４２８）を画定する２つの連結フラップ４２６Ａ，４２６Ｂ（一般的に、１つ又は複数の連結フラップ４２６）を含む。カム連結部分４２４は、一般的に、傾斜したセクションを含み、連結フラップ４２６が、部材ネック４１６とは離れているが部材ネック４１６に平行な平面にあるようになっている。この実施形態及び他の実施形態では、連結フラップ４２６を含む平面は、部材ネック４１６を含む平面よりも低いｙ座標を含む。部材ネック４１６を含む平面と連結フラップ４２６を含む平面との間の距離は、本明細書で説明されているラッチ３００などのようなラッチの寸法に関連することが可能である。
【００５８】
図２Ａ、図３Ａ、図４Ａ、及び図４Ｂを組み合わせて参照すると、ラッチ３００に対応するように、ラッチリリース部材４０２をサイズ決めすることが可能である。たとえば、
固定特徴部間寸法３２８に実質的に対応するように、部材ネック幅４３０をサイズ決めすることが可能であり、それは、部材ネック幅４３０が、固定特徴部間寸法３２８よりも小さいか、又は、固定特徴部間寸法３２８におおよそ等しいことが可能であるということを意味している。追加的に、ラッチネック３１２の幅寸法３３８に対応するように、連結フラップ間寸法（ｉｎｔｒａ−ｃｏｕｐｌｉｎｇ  ｆｌａｐ  ｄｉｍｅｎｓｉｏｎ）４３２をサイズ決めすることが可能であり、それは、連結フラップ間寸法４３２が、ラッチネック３１２の幅寸法３３８よりも大きいか、又は、ラッチネック３１２の幅寸法３３８におおよそ等しいことが可能であるということを意味している。
【００５９】
固定特徴部間寸法３２８に対応するように部材ネック幅４３０をサイズ決めすること、及び、ラッチネック３１２の幅寸法３３８に対応するように連結フラップ間寸法４３２をサイズ決めすることは、ラッチ３００に対するラッチリリース部材４０２の特定の位置決めを可能にすることができる。たとえば、いくつかの実施形態では、ラッチリリース部材４０２は、ラッチ３００の第３の端部３０８において、固定特徴部３２０の間に（たとえば、ｚ方向に）位置付けされている。傾斜した平面３２２及びラッチネック３１２は、ラッチリリース部材４０２と上部シェル７００との間に（たとえば、ｙ方向に）位置付けされており、連結フラップ４２６は、ラッチ３００の第２の部分３４０と上部シェル７００との間に（たとえば、ｙ方向に）位置付けされている。
【００６０】
Ｃ．  例示的なリターンスプリング
図５は、図２Ａ〜図２Ｃのラッチング機構２００の中に実装され得るリターンスプリング５００のいくつかの追加的な詳細を図示している。リターンスプリング５００は、シートメタル、プラスチック、他の適切な材料、又は、それらの任意の組合せから構成させることが可能である。一般的に、リターンスプリング５００は、本明細書で議論されているラッチリリース４００に機械的に取り付けることが可能である。リターンスプリング５００は、ラッチリリース４００を付勢し、ラッチリリース４００に活性化力を加えることに続いて、ラッチリリース４００を再位置決めすることが可能である。
【００６１】
リターンスプリング５００は、２つのスプリングアーム５０２Ａ，５０２Ｂ（一般的に、１つ又は複数のスプリングアーム５０２）、ならびに、スプリングアーム５０２の間の中央部分５０４を含む。中央部分５０４は、垂直方向の部分５０６及び水平方向の部分５０８を含む。垂直方向の部分５０６は、リターンスプリング５００の配向に応じて水平方向になり得るという点で、垂直方向の部分５０６を垂直方向として指定すること、及び、水平方向の部分５０８を水平方向として指定することは、任意に定義される。図５に示されているように、垂直方向の部分５０６は、ｙｚ平面に実質的に平行であり、水平方向の部分５０８は、ｘｚ平面に実質的に平行である。
【００６２】
水平方向の部分５０８は、接続孔部５１０を画定している。接続孔部５１０は、本明細書で説明されているラッチリリース４００に対してリターンスプリング５００を固定する機械的なカップリング又は締結具を受け入れることが可能である。代替的に、いくつかの実施形態では、水平方向の部分５０８は、リターンスプリング５００をラッチリリース４００に連結するか又は機械的に接続させる別の特徴部を含むことが可能である。
【００６３】
垂直方向の部分５０６は、スプリングアーム５０２の間に位置付けされており、スプリングアーム５０２に連結されている。第１のスプリングアーム５０２Ａは、一般的に、ｚのマイナス方向に及びｘのマイナス方向に、垂直方向の部分５０６から、ある角度で延在している。追加的に、第２のスプリングアーム５０２Ｂは、一般的に、ｚのプラス方向に及びｘのマイナス方向に、垂直方向の部分５０６から、ある角度で延在している。スプリングアーム５０２は、図３Ａ及び図３Ｂのラッチ３００の傾斜した表面３３２に接触するように構成させることが可能である。
【００６４】
図８Ａ，図８Ｂは、図５のリターンスプリング５００の例示的な動作を図示している。図８Ａ，図８Ｂは、リターンスプリング５００、ラッチ３００、及びラッチリリース４００を含む。図８Ａ，図８Ｂの図は、たとえば、これらの部品のｙのマイナス側からｙのプラス方向に見た、これらの部品の底面図である。リターンスプリング５００は、ラッチ３００とラッチリリース４００との間にあるので、リターンスプリング５００は、図８Ａ，図８Ｂの中に点線を使用して示されている。追加的に、図８Ａ，図８Ｂには、ホストデバイスのケージアセンブリ８０８が示されている。ケージアセンブリ８０８は、ラッチ３００によって係合されているように示されている。
【００６５】
図５，図８Ａを組み合わせて参照すると、ラッチリリース４００に加えられる活性化力がない場合に、ラッチリリース４００は、点線８０２によって示されている初期の位置にある。初期の位置では、スプリングアーム５０２は、ラッチ３００の傾斜した表面３３２に接触している。リターンスプリング５００は、ラッチリリース４００に付勢力を加えることが可能である。付勢力は、一般的に、初期の位置にラッチリリース４００を付勢するように作用する。
【００６６】
図５，図８Ｂを組み合わせて参照すると、図８Ｂにおいて矢印８１０によって表されているｘのマイナス方向に、活性化力をラッチリリース４００に加えることが可能である。矢印８１０によって表されている活性化力が付勢力よりも大きいときには、ラッチリリース４００は、点線８０４によって示されている最終位置へ、ラッチ３００に対してｘのマイナス方向に並進することが可能である。点線８０４は、点線８０２から距離８０６だけオフセットされる。
【００６７】
第２の位置において、スプリングアーム５０２は、ラッチ３００の傾斜した表面３３２に対抗して圧縮され、ラッチ３００に対抗して戻り力を生成する。具体的には、スプリングアーム５０２は、傾斜した表面３３２に対抗して曲げられ、それによって、戻り力を生成することが可能である。ラッチリリース４００に加えられる矢印８１０によって表されている活性化力が、戻り力より低く減少させられると、スプリングアーム５０２は、点線８０２によって示されている初期の位置へラッチリリース４００を戻すように作用する。
【００６８】
Ｄ．  例示的なカム
図６は、図２Ａ〜図２Ｃのラッチング機構２００の中に実装され得るカム６００のいくつかの追加的な詳細を図示している。一般的に、カム６００は、本明細書で説明されているラッチリリース４００に連結されており、また、本明細書で説明されているラッチ３００を変位させるために、活性化力がラッチリリース４００に加えられるときに、並進するように構成されている。カム６００は、一般的に、カム長さ６０６及びカム深さ６０８を有する丸みを帯びた長方形ブロックを含む。カム長さ６０６及び／又はカム深さ６０８は、本明細書で議論されている上部シェル７００などのような上部シェルに対応するようにサイズ決めすることが可能である。たとえば、図６及び図７を組み合わせて参照すると、カム長さ６０６は、カム６００が第１の中空部７０６の中に位置付けされ得るようにサイズ決めすることが可能である。追加的に又は代替的に、カム深さ６０８は、カム６００が第１の中空部７０６の中に位置付けされ得るようにサイズ決めすることが可能である。追加的に、カム６００が並進し、したがって、本明細書で説明されているラッチ３００などのような、第１の中空部７０６の中に少なくとも部分的に位置付けされているラッチを変位させることを可能にするように、カム長さ６０６及び／又はカム深さ６０８をサイズ決めすることが可能である。
【００６９】
図２Ｃ、図４Ａ、図４Ｂ、及び図６を組み合わせて参照すると、カム６００は、２つのカム接続孔部６０４Ａ，６０４Ｂも含むことが可能である。カム接続孔部６０４Ａ，６０
４Ｂは、ラッチリリース４００の連結フラップ４２６の中に画定されている連結孔部４２８に実質的に整合することが可能である。締結具（図示せず）が、カム接続孔部６０４Ａ，６０４Ｂならびに連結孔部４２８の中に挿入され、ラッチリリース４００をカム６００に取り付け、及び／又は、ラッチリリース４００をカム６００に機械的に連結することが可能である。代替的に、カム６００は、はんだ、接着剤、又は、他の適切な締結具によって、ラッチリリース部材４０２に機械的に連結させることが可能である。
【００７０】
いくつかの実施形態では、カム６００が連結フラップ４２６に機械的に連結されているとき、カム６００は、連結フラップ４２６と上部シェル７００との間に位置付けされ得、ラッチリリース４００に加えられる活性化力が、上部シェル７００に対してカム６００を並進させ、それによって、ラッチ３００の第１の部分３０２に接触し変位させるようになっている。
【００７１】
図３Ａ、図３Ｂ、及び図６を参照すると、カム６００は、接触表面６０２も含むことが可能である。接触表面６０２は、カム６００が並進させられるときに、ラッチ突出部３０６の傾斜付きの突出部表面３１８に接触するように構成させることが可能である。具体的には、接触表面６０２は、傾斜付きの突出部表面３１８との接触を通して、おおよそラッチフック３０４の後縁部３１４の高さ３４２Ａ，３４２Ｂだけ、ラッチ３００を変位させるように構成させることが可能である。したがって、ラッチフック３０４は、十分に変位させられると、ホストデバイス（図示せず）のレセプタクルから離脱することが可能である。
【００７２】
Ｅ．  例示的な上部シェル
図７は、図２Ａ〜図２Ｃのラッチング機構２００の中に実装され得る上部シェル７００のいくつかの追加的な詳細を図示している。一般的に、上部シェル７００は、挿入される部分７０８を含み、挿入される部分７０８は、ホストデバイス（図示せず）のレセプタクルの中に挿入させることが可能である。追加的に、上部シェル７００は、外部部分７１０を含むことが可能であり、外部部分７１０は、挿入される部分７０８がレセプタクルの中へ挿入されているときに、レセプタクルの外部にあるままである。外部部分７１０は、第２の中空部７０４、傾斜付きの中空部７１２、第１の中空部７０６、及び、２つの固定特徴部スロット７１４Ａ，７１４Ｂを画定している。
【００７３】
図３Ａ、図３Ｂ、及び図７を組み合わせて参照すると、ラッチ３００の第３の部分３０８は、第２の中空部７０４の中に位置付けされるように構成されている。したがって、第３の部分３０８の寸法は、第２の中空部７０４の寸法に対応し、及び／又は、第２の中空部７０４の寸法と同様であることが可能である。追加的に、第３の部分３０８は、固定特徴部３２０の垂直方向の部分３２６Ａ，３２６Ｂを固定特徴部スロット７１４Ａ，７１４Ｂの中へ挿入することによって、第２の中空部７０４の中に固定させることが可能である。追加的に又は代替的に、第３の部分３０８は、１つ又は複数の中空部突出部７１６Ａ，７１６Ｂによって、第２の中空部７０４の中に固定させることが可能である。
【００７４】
ラッチネック３１２は、傾斜付きの中空部７１２の中に位置付けされるように構成されている。傾斜付きの中空部７１２は、一般的に、外部部分７１０によってラッチネック３１２を横方向に（すなわち、ｚ方向に）制限する形状を含むことが可能である。いくつかの実施形態では、傾斜付きの中空部７１２の中に位置付けされているときに、ラッチネック３１２は、外部部分７１０の上部表面７１８の実質的に下方にあることが可能である。
【００７５】
第２の部分３４０は、第１の中空部７０６の中に位置付けされるように構成させることが可能である。第２の部分３４０は、上部シェル７００の外部部分７１０によって横方向に（すなわち、ｚ方向に）実質的に制限され得る。しかし、第２の部分３４０は、一般的
にｙ方向に自由に変位させることが可能である。
【００７６】
ラッチフック３０４を含む第１の部分３０２は、一般的に、外部部分７１０を過ぎて延在し、挿入される部分７０８の上に張り出している。この構成によって、挿入される部分７０８がレセプタクルの中へ挿入されているときに、ラッチフック３０４は、外部部分７１０がレセプタクルの外部に位置付けされることを可能にしながら、レセプタクルに係合する。
【００７７】
ＩＩＩ．  ラッチング機構の例示的な動作
図９Ａ，図９Ｂは、図２Ａ〜図２Ｃのラッチング機構２００の例示的な動作を図示している。具体的には、図９Ａ，図９Ｂは、ホストデバイスのケージアセンブリ９０４又は他のレセプタクルの中に画定されている中空部９０２に対して動作しているラッチング機構２００の断面図を図示している。図９Ａは、中空部９０２の中に係合されているラッチ３００を図示している。図９Ｂは、中空部９０２から離脱されているラッチ３００を図示している。
【００７８】
図９Ａ，図９Ｂを参照すると、ラッチリリース４００の一部分、ラッチ３００の一部分、及びカム６００は、上部シェル７００の第１の中空部７０６の中に位置付けされて示されている。図９Ａでは、ラッチフック３０４が、中空部９０２の中に係合されて示されている。追加的に、ラッチリリース４００及びカム６００は、図９Ａにおいて点線９０６によって表されているラッチ係合された位置にある。ラッチ係合された位置では、カム６００は、ラッチ突出部３０６に接触しておらず、及び／又は、ラッチ突出部３０６を変位させない。
【００７９】
図９Ｂを参照すると、ｘのマイナス方向への活性化力が、ラッチリリース４００に加えられると、ラッチリリース４００は、ｘのマイナス方向に並進する。図９Ｂでは、ｘのマイナス方向への活性化力は、矢印９１０によって表されている。ラッチリリース４００は、カム６００に機械的に連結されている。したがって、カム６００も、上部シェル７００に対してｘのマイナス方向に並進する。カム６００及びラッチリリース４００がｘのマイナス方向に並進すると、カム６００の傾斜付きの接触表面６０２が、ラッチ突出部３０６の傾斜付きの突出部表面３１８に接触する。ラッチリリース４００及びカム６００が、ｘのマイナス方向にさらに並進するにつれて、カム６００の傾斜付きの接触表面６０２が、ラッチ３００をｙのプラス方向に変位させる。ラッチリリース４００及びカム６００が、点線９０８によって表されているラッチ解除された位置へ並進すると、ラッチフック３０４は、中空部９０２から離脱させられる。
【００８０】
本発明は、その精神又は本質的な特性から逸脱することなく、他の特定の形態の中に具現化させることが可能である。説明されている実施形態は、すべての点において、単に例示目的として考慮されるべきであり、制限的なものとして考慮されるべきではない。したがって、本発明の範囲は、先述の説明によって示されているというよりも、添付の特許請求の範囲によって示されている。特許請求の範囲の均等の意味及び範囲の中に入るすべての変化は、特許請求の範囲の中に包含されるべきである。
【図１Ａ】
2016504616.tif 000003
【図１Ｂ】
2016504616.tif 000004
【図２Ａ】
2016504616.tif 000005
【図２Ｂ】
2016504616.tif 000006
【図２Ｃ】
2016504616.tif 000007
【図３Ａ】
2016504616.tif 000008
【図３Ｂ】
2016504616.tif 000009
【図４Ａ】
2016504616.tif 000010
【図４Ｂ】
2016504616.tif 000011
【図５】
2016504616.tif 000012
【図６】
2016504616.tif 000013
【図７】
2016504616.tif 000014
【図８Ａ−８Ｂ】
2016504616.tif 000015
【図９Ａ】
2016504616.tif 000016
【図９Ｂ】
2016504616.tif 000017
【国際調査報告】
2016504616.tif 000018
2016504616.tif 000019